(57)【特許請求の範囲】
【請求項１】
棒状部位を含む被運搬部品の前記棒状部位に係合させて前記被運搬部品を運搬する部品運搬用吊具であって、
前記棒状部位を収容する収容領域を形成した収容部材と、前記収容部材に取り付けられて前記被運搬部品が前記収容領域から離脱することを防止するための保持部材とを有し、
前記保持部材は、前記収容部材に形成された取付孔に嵌合する取付ピンと、第１の態様で前記収容部材に取り付けられた際に前記収容領域に面する第１保持面と、第２の態様で前記収容部材に取り付けられた際に前記収容領域に面する第２保持面とを有し、前記取付ピンの軸線と第１保持面との距離は前記取付ピンの軸線と第２保持面との距離よりも長いことを特徴とする部品運搬用吊具。
【請求項２】
請求項１記載の部品運搬用吊具において、
前記保持部材は第１保持面の裏面に第２保持面を有することを特徴とする部品運搬用吊具。
【請求項３】
請求項１または２記載の部品運搬用吊具において、
前記被運搬部品に当接して前記被運搬部品の姿勢を所定位置に維持するストッパを有することを特徴とする部品運搬用吊具。
【発明の詳細な説明】
【技術分野】
【０００１】
本発明は、自動車部品の運搬用吊具に関する。
【背景技術】
【０００２】
自動車の組立ライン等においては、部品を受け具から吊り上げて台車上に降ろしたり、台車上から吊り上げて受け具上に降ろしたりする作業が行われている。ここで取り扱われる部品は重量物であり、作業車が人手によって移動することが困難であることから、主にホイスト等が用いられている。通常、ホイストによって部品を直接吊り上げることはできないため、ホイストと部品との間に部品運搬用吊具を介在させ、これにより部品の吊り上げ及び運搬を行っている。
【０００３】
部品運搬用吊具はホイストのフックに引っ掛けられて使用され、この部品運搬用吊具に部品が引っ掛けられて運搬されるが、ホイストがインチング等の動作を行うと部品運搬用吊具に引っ掛けられた部品が振動によって外れ、部品が落下して破損してしまうという問題点があった。そこで、押さえ部材によって部品のほぼ全周を覆うように構成し、部品の落下を防止する技術が、例えば「特許文献１」に開示されている。
【先行技術文献】
【特許文献】
【０００４】
【特許文献１】実開昭６０−１２２７８１号公報
【発明の概要】
【発明が解決しようとする課題】
【０００５】
従来の部品運搬用吊具では部品のほぼ全周を覆っているため、部品の大きさに応じて吊具を交換する必要があった。これは、大きいまたは太い部品では吊具に入らず、小さいまたは細い部品では吊具との間に隙間が生じてホイストによる移動時に部品が移動して部品の揺れや異音が生じてしまうためである。しかし、部品の大きさに応じて吊具を用意すると、吊具の種類が多くなりコストアップしてしまうと共に吊具を交換する必要が生じて作業効率が悪化してしまうという問題点がある。  
本発明は上述の問題点を解決し、２種類の部品に対応して各部品を不具合なく運搬することが可能な部品運搬用吊具の提供を目的とする。
【課題を解決するための手段】
【０００６】
請求項１記載の発明は、棒状部位を含む被運搬部品の前記棒状部位に係合させて前記被運搬部品を運搬する部品運搬用吊具であって、前記棒状部位を収容する収容領域を形成した収容部材と、前記収容部材に取り付けられて前記被運搬部品が前記収容領域から離脱することを防止するための保持部材とを有し、前記保持部材は、前記収容部材に形成された取付孔に嵌合する取付ピンと、第１の態様で前記収容部材に取り付けられた際に前記収容領域に面する第１保持面と、第２の態様で前記収容部材に取り付けられた際に前記収容領域に面する第２保持面とを有し、前記取付ピンの軸線と第１保持面との距離は前記取付ピンの軸線と第２保持面との距離よりも長いことを特徴とする。
【０００７】
請求項２記載の発明は、請求項１記載の部品運搬用吊具において、さらに前記保持部材は第１保持面の裏面に第２保持面を有することを特徴とする。
【０００８】
請求項３記載の発明は、請求項１または２記載の部品運搬用吊具において、さらに前記被運搬部品に当接して前記被運搬部品の姿勢を所定位置に維持するストッパを有することを特徴とする。
【発明の効果】
【０００９】
本発明によれば、２種類の大きさの部品をがたつくことなく運搬することができるので、吊具の種類が多くなりコストアップしてしまうと共に吊具を交換する必要が生じて作業効率が悪化してしまうという問題点の発生を確実に防止することができる。
【図面の簡単な説明】
【００１０】
【図１】本発明の一実施形態を適用した部品運搬用吊具の概略図である。
【図２】本発明の一実施形態を適用した部品運搬用吊具の第１保持面側にて部品を保持する態様を説明する概略図である。
【図３】本発明の一実施形態を適用した部品運搬用吊具の第２保持面側にて部品を保持する態様を説明する概略図である。
【図４】本発明の一実施形態を適用した部品運搬用吊具を用いた部品の運搬を説明する概略図である。
【図５】本発明の一実施形態を適用した部品運搬用吊具を用いた部品の運搬を説明する概略図である。
【発明を実施するための形態】
【００１１】
図１は、本発明の一実施形態に用いられる部品運搬用吊具を示している。同図において部品運搬用吊具１は、運搬される部品の一部が収容される収容部材２、収容部材２に取り付けられ収容部材２と共に部品を保持する保持部材３、部品に当接して部品の状態を維持するストッパ４、収容部材２を支持すると共にホイスト７に係合する支持板５、支持板５に取り付けられ他の部品が係合する係合部６等を有している。
【００１２】
収容部材２はナイロン等の樹脂によって形成されており、その側面視形状は部品の一部が収容される収容領域が形成されるように、ほぼＵ字形状となるように形成されている。収容部材２の一端には２箇所の取付孔２ａが形成されており、ここには保持部材３の取付ピン３ａが嵌合する。保持部材３はナイロン等の樹脂によって形成されており、その上端にはアルミニウム製の取手３ｂが設けられ、その下端には金属製の取付ピン３ａが２箇所配設されている。
【００１３】
側面視Ｌ字形状の支持板５は鉄等の金属によって形成されており、その一端にホイスト７が係合する係合穴５ａを有し、その他端には収容部材２がボルトによって固定されている。支持板５の他端であって収容部材２と対向する位置には、ウレタン製の一対のストッパ４を固定支持する支軸４ａが固着されている。さらに支持板５の一端であって収容部材２が設けられている側とは逆側の位置には、金属製のピンからなる係合部６がブラケット６ａを介して取り付けられている。
【００１４】
次に、保持部材３について説明する。保持部材３は、図２、図３に示すように、各取付ピン３ａが保持部材３の中心線Ｃからオフセットして配置されており、各取付ピン３ａを係合部２の各取付孔２ａに嵌合させた際に図２に示す状態と図３に示す状態とを取り得る。図２に示す状態では収容部材２の内面である収容領域と保持部材３の一方の外面である第１保持面３ｃとによって保持可能な部品の大きさはＡとなり、図３に示す状態では係合部２の内面である収容領域と保持部材３の他方の外面である第２保持面３ｄとによって保持可能な部品の大きさはＡよりも大きなＢとなる。
【００１５】
すなわち、取付ピン３ａの軸線Ｄと第１保持面３ｃとの距離Ｅは、軸線Ｄと第２保持面３ｄとの距離Ｆよりも長くなる。この構成により部品運搬用吊具１は、２種類の大きさの部品をがたつくことなく運搬することができる。
【００１６】
次に、部品運搬用吊具１を用いた部品の運搬について説明する。図４において、符号８は車種Ｇの部品（フロントサスペンション）を示している。被運搬部品である部品８は、部品運搬用吊具１によって保持される部位である棒状部位８ａの直径が細いため、保持部材３は図２に示すように第１保持面３ｃを収容領域側に向けた状態で収容部材２に取り付けられる。部品８は、作業の工程上、作業者が立った状態で部品運搬用吊具１に係合させる必要があり、部品８は図４に示す状態でホイスト７により上方へと持ち上げられる。持ち上げられた部品８は水平状態で一時保管場所である台車上に載置されるため、運搬時には水平状態となることが望ましい。
【００１７】
そこで本発明の部品運搬用吊具１では、図４に示す状態から部品８が上方へと持ち上げられた際に、部品８が矢印Ｚで示す方向に傾いたとき、図５に示すように部品８に当接して部品８をほぼ水平状態に維持するストッパ４を備えている。この構成により、部品８は吊り上げられた際に部品運搬用吊具１によって水平状態を維持したまま運搬されるので、部品８の状態が変化することにより部品８が落下することが防止される。また、部品８の状態が変化しても収容部材２と保持部材３とが部品８をその全周にわたって保持しているので、部品８の落下を確実に防止することができる。
【００１８】
部品運搬用吊具１において、棒状部位８ａよりも太い直径の棒状部位を有する部品が搬送される場合には、保持部材３は図３に示すように第２保持面３ｄを収容領域側に向けた状態で収容部材２に取り付けられる。
【００１９】
上述の構成によれば、２種類の大きさの部品をがたつくことなく運搬することができるので、吊具の種類が多くなりコストアップしてしまうと共に吊具を交換する必要が生じて作業効率が悪化してしまうという問題点の発生を確実に防止することができる。また、保持部材３が第１保持面の裏面に第２保持面を有する構成であるので、構成を単純化できコストダウンを図ることができる。また、部品８に当接して部品８の姿勢を所定位置に保持するストッパ４を有するので、搬送時において部品を所定位置に保持することができ作業工程を短縮して作業の短縮化及び効率化を図ることができる。
【００２０】
上記実施形態では、ストッパ４を支軸４ａに固定する構成としたが、ストッパ４は長期の使用によって変形するため、支軸４ａに固定されたストッパ４が支持板５に対してその相対位置を変位可能に構成されていてもよい。これにより、ストッパ４の位置を変位させることができ、ストッパ４の寿命を延ばすことができる。
【００２１】
以上、本発明の好ましい実施の形態について説明したが、本発明は上述した特定の実施形態に限定されるものではなく、上述の説明で特に限定していない限り、特許請求の範囲に記載された本発明の趣旨の範囲内において、種々の変形・変更が可能である。本発明の実施の形態に記載された効果は本発明から生じる最も好適な効果を列挙したに過ぎず、本発明による効果は本発明の実施の形態に記載されたものに限定されるものではない。
【符号の説明】
【００２２】
１  部品運搬用吊具
２  収容部材
２ａ  取付孔
３  保持部材
３ａ  取付ピン
３ｃ  第１保持面
３ｄ  第２保持面
４  ストッパ
８  被運搬部品（部品）
８ａ  棒状部位
Ｄ  取付ピンの軸線
Ｅ，Ｆ  距離
【図１】
0006379890.tif 000002
【図２】
0006379890.tif 000003
【図３】
0006379890.tif 000004
【図４】
0006379890.tif 000005
【図５】
0006379890.tif 000006